(57)【特許請求の範囲】
【請求項１】
軸心を中心に回転するボスと、
前記ボスの外周部に配設される複数枚の翼と、を有し、
前記翼は、
後縁に切欠を有し、
前記切欠は、
前記翼の内周端から外周端にかけて並べられた３個以上の上面視三角形状の切欠部分を有し、
前記切欠部分は、
深さ及び幅が前記翼の内周端から外周端にかけて一旦大きくなった後に小さくなるように構成されており、
前記切欠部分は、
前記翼の前縁側に形成される１つの第１端部と、
前記翼の後縁側に形成される２つの第２端部と、
前記第１端部と前記第２端部とを接続する２つの辺と、を有しており、
前記２つの辺がそれぞれ外周端側へ凸となる円弧状となっている
プロペラファン。
【請求項２】
前記切欠部分は、
前記２つの辺の１つである内周辺の曲率半径が、前記２つの辺の１つである外周辺の曲率半径よりも小さく構成されている
請求項１に記載のプロペラファン。
【請求項３】
最も内周端側に位置する前記第２端部の軸心に対する半径位置をＲｋｉとし、
最も外周端側に位置する前記第２端部の軸心に対する半径位置をＲｋｏとし、
前記翼の外周端の軸心に対する半径位置をＲｆとしたとき、
前記切欠は、
Ｒｋｉ／Ｒｆ＞０．６５、かつ、Ｒｋｏ／Ｒｆ＜０．９５の関係を満たす位置に形成されている
請求項１又は２に記載のプロペラファン。
【請求項４】
前記切欠は、
前記切欠部分の内周辺の曲率半径が、前記切欠部分の深さ及び幅が基準値よりも大きい領域では小さくなるように、前記切欠部分の深さ及び幅が基準値よりも小さい領域では大きくなるよう構成されている
請求項１〜３のいずれか一項に記載のプロペラファン。
【請求項５】
前記切欠は、
前記切欠部分の内周辺上における前記第２端部の軸心に対する半径位置が、該第２端部と内周辺で接続している前記第１端部の軸心に対する半径位置よりも外周端側に位置している
請求項１〜４のいずれか一項に記載のプロペラファン。
【発明の詳細な説明】
【技術分野】
【０００１】
本発明は、例えば空気調和装置、換気装置等の冷凍サイクル装置に用いられるプロペラファンに関するものである。
【背景技術】
【０００２】
従来から、プロペラファン（軸流送風機）には低騒音化が求められている。そこで、翼の形状によって、より一層の低騒音化を図るようにしたプロペラファンが提案されている。
例えば、特許文献１には、「羽根後縁の形状を、ノコギリ歯状とした」プロペラファンが開示されている。
【先行技術文献】
【特許文献】
【０００３】
【特許文献１】特開平０８−１８９４９７号公報
【発明の概要】
【発明が解決しようとする課題】
【０００４】
特許文献１に記載のプロペラファンは、羽根の後縁の形状をノコギリ歯状にすることにより、羽根の負圧面側と圧力面側の流れを少しずつ合流させることを可能にしている。そのため、後縁の付近では速度欠損が小さくなり、その結果、特許文献１に記載のプロペラファンは、従来に比べて速度勾配が減少し、乱れの発生が少なくなることになる。すなわち、特許文献１は、羽根の後縁の形状によって、翼後流の乱れを低減し、騒音低減、ファン効率の向上を図るようにしたものである。【０００５】
しかしながら、特許文献１に記載のプロペラファンでは、羽根の後縁の形状をノコギリ歯状にしたことにより、音源となる渦の細分化は可能になっているものの、ノコギリ歯状が空気の流れに沿っていない。そのため、特許文献１に記載のプロペラファンには、静圧が低下し、十分な低騒音効果が得られないという課題があった。【０００６】
本発明は、このような課題を解決するためになされたものであり、静圧化を考慮した翼形状を採用し、低騒音化を図るようにしたプロペラファンを提供することを目的とする。
【課題を解決するための手段】
【０００７】
本発明に係るプロペラファンは、軸心を中心に回転するボスと、前記ボスの外周部に配設される複数枚の翼と、を有し、前記翼は、後縁に切欠を有し、前記切欠は、前記翼の内周端から外周端にかけて並べられた３個以上の上面視三角形状の切欠部分を有し、前記切欠部分は、深さ及び幅が前記翼の内周端から外周端にかけて一旦大きくなった後に小さくなるように構成されており、前記切欠部分は、前記翼の前縁側に形成される１つの第１端部と、前記翼の後縁側に形成される２つの第２端部と、前記第１端部と前記第２端部とを接続する２つの辺と、を有しており、前記２つの辺がそれぞれ外周端側へ凸となる円弧状となっている。
【発明の効果】
【０００８】
本発明に係るプロペラファンによれば、深さ及び幅が前記翼の内周端から外周端にかけて一旦大きくなった後に小さくなるように構成されている３個以上の切欠部分を有する切欠が翼の後縁に形成されているので、静圧上昇を確保することができ、低騒音化が実現する。
【図面の簡単な説明】
【０００９】
【図１】本発明の実施の形態１に係るプロペラファンの構成を概略的に示す斜視図である。
【図２】本発明の実施の形態１に係るプロペラファンの翼の一つを拡大して示す拡大斜視図である。
【図３】本発明の実施の形態１に係るプロペラファンの一つの翼の後縁部分を拡大して概略的に示す概略図である。
【図４】本発明の実施の形態１に係るプロペラファンの翼における空気の流れを説明するための模式図である。
【図５】本発明の実施の形態２に係るプロペラファンの構成を概略的に示す斜視図である。
【図６】本発明の実施の形態３に係るプロペラファンの翼の一つを拡大して示す拡大斜視図である。
【図７】本発明の実施の形態３に係るプロペラファンの一つの翼の後縁部分を拡大して概略的に示す概略図である。
【図８】本発明の実施の形態４に係るプロペラファンの一部を上面視した概略図である。
【発明を実施するための形態】
【００１０】
以下、図面に基づいて本発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１１】
実施の形態１．
図１は、本発明の実施の形態１に係るプロペラファン１００Ａの構成を概略的に示す斜視図である。図２は、プロペラファン１００Ａの翼２Ａの一つを拡大して示し拡大斜視図である。図３は、プロペラファン１００Ａの一つの翼２Ａの後縁２４部分を拡大して概略的に示す概略図である。図４は、プロペラファン１００Ａの翼２Ａにおける空気の流れを説明するための模式図である。図１〜図４に基づいて、プロペラファン１００Ａについて説明する。
【００１２】
なお、図１では、５枚の翼２Ａを有するプロペラファン１００Ａを図示している。ただし、翼２Ａの枚数を特に限定するものではない。また、翼２Ａの枚数によらず切欠２５Ａは翼毎に設定され、本発明の実施の形態１に係るプロペラファン１００Ａを実施することによる効果は翼毎に得られる。また、図３では、切欠２５Ａの一部を構成する切欠部分３０ｃを代表例として図示している。
【００１３】
プロペラファン１００Ａは、軸心ＲＣを中心に回転するボス１と、ボス１の外周部に配設される複数枚の翼２Ａと、を有している。翼２Ａは、内周端２１、外周端２２、前縁２３、後縁２４で囲繞されている。また、翼２Ａの後縁２４には、切欠２５Ａが設けられている。切欠２５Ａは、上面視三角形状の切欠部分３０が、翼２Ａの内周端２１から外周端２２にかけて複数並べられて形成されている。
【００１４】
図１及び図２では、５つの切欠部分３０によって切欠２５Ａが形成されている状態を例に示しているが、切欠部分３０は３個以上であればよく、個数を特に限定するものではない。また、図２では、紙面左側、つまり内周端３２側から切欠部分３０ａ、切欠部分３０ｂ、切欠部分３０ｃ、切欠部分３０ｄ、切欠部分３０ｅとして図示している。上面視三角形状とは、プロペラファン１００Ａを軸心方向（紙面上側）から見た状態で三角形状となっているという意味である。
【００１５】
切欠２５Ａについて詳しく説明する。
切欠部分３０のそれぞれは、第１端部２５ａ及び第２端部２５ｂを有している。第１端部２５ａは、切欠部分３０の前縁２３側に形成されている１つの頂点部分である。つまり、第１端部２５ａは、切欠部分３０のそれぞれが１つ有していることになる。第２端部２５ｂは、切欠部分３０の後縁２４側に形成されている２つの頂点部分である。つまり、第２端部２５ｂは、切欠部分３０のそれぞれが２つずつ有していることになる。
【００１６】
ただし、切欠部分３０ａの外周端２２側の第２端部２５ｂは、隣接する切欠部分３０ｂの内周端２１側の第２端部２５ｂに共通している。同様に、切欠部分３０ｂの外周端２２側の第２端部２５ｂは、隣接する切欠部分３０ｃの内周端２１側の第２端部２５ｂに共通している。同様に、切欠部分３０ｃの外周端２２側の第２端部２５ｂは、隣接する切欠部分３０ｄの内周端２１側の第２端部２５ｂに共通している。同様に、切欠部分３０ｄの外周端２２側の第２端部２５ｂは、隣接する切欠部分３０ｅの内周端２１側の第２端部２５ｂに共通している。なお、切欠部分３０ａの内周端２１側の第２端部２５ｂは切欠部分３０ａが有し、切欠部分３０ｅの外周端２２側の第２端部２５ｂは切欠部分３０ｅが有している。
【００１７】
また、切欠部分３０のそれぞれは、第１端部２５ａと第２端部２５ｂとを接続する２つの辺２５３を有している。２つの辺のうちの１つである内周端２１側の辺２５３を内周辺２５３ｉとし、２つの辺のうちの１つである外周端２２側の辺２５３を外周辺２５３ｏとする。切欠部分３０のそれぞれは、２つの第２端部２５ｂから第１端部２５ａにかけて空間部となっている。
【００１８】
ここで、隣接する第２端部２５ｂを結ぶ直線をＬ１とし、Ｌ１に対しそれぞれの切欠部分３０の第１端部２５ａを通る垂線をＬ２とし、Ｌ１とＬ２との交点をＰとする。このとき、Ｐと第１端部２５ａとの距離を切欠部分３０の深さ２５１と定義し、隣接する第２端部２５ｂ間の距離を切欠部分３０の幅２５２と定義する。
【００１９】
そして、切欠部分３０の深さ２５１及び切欠部分３０の幅２５２は、内周端２１側から外周端２２側にかけて一旦大きくなった後、小さくなるようにそれぞれの切欠部分３０が形成されている。すなわち、図２に示すように、切欠部分３０ａから切欠部分３０ｃにかけては切欠部分３０を順次大きくし、切欠部分３０ｃから切欠部分３０ｅにかけては切欠部分３０を順次小さくし、切欠部分３０ｃが最大の大きさとなっている。切欠部分３０ｃの深さ２５１、及び、切欠部分３０ｃの幅２５２が最大となっている。
【００２０】
切欠部分３０の２つ辺２５３は、それぞれ外周端２２側へ凸となる円弧状を成している。そして、内周辺２５３ｉの円弧の曲率半径をＲｉとし、外周辺２５３ｏの円弧の曲率半径をＲｏとする。このとき、内周辺２５３ｉ及び外周辺２５３ｏは、Ｒｉ＜Ｒｏの関係を満たすように構成されている。
【００２１】
次に、図４に基づいて、プロペラファン１００Ａが奏する効果について、プロペラファン１００Ａの動作とともに説明する。図４では、翼２Ａにおける空気の流れを矢印で表している。
【００２２】
プロペラファン１００Ａの動作について説明する。
ボス１に取り付けられているモータ（図示省略）が回転駆動することにより、図１に示す３次元立体形状の翼２Ａが、ボス１ともに軸心ＲＣを中心に矢印Ａで示す方向に回転する。翼２Ａが回転することによって気流（送風流）が発生する。なお、翼２Ａの上流側が負圧面となり、下流側が正圧面となる。
【００２３】
プロペラファン１００Ａの効果について説明する。
プロペラファン１００Ａでは、一般的なプロペラファンと同様に、翼２Ａの表面における外周端２２側の空気の流れは、矢印ＳＴ１として示すように、後縁２４の付近で遠心力により外周端２２側へ偏った流れとなる。
また、プロペラファン１００Ａでは、一般的なプロペラファンと同様に、翼２Ａの表面における内周端２１側の空気の流れは、矢印ＳＴ２として示すように、内周端２１に沿った流れとなる。
【００２４】
ところで、プロペラファン１００Ａは、翼２Ａの後縁２４に切欠２５Ａが形成されている。そのため、プロペラファン１００Ａでは、切欠部分３０の外周辺２５３ｏにおいては矢印ＳＴ３に示すように空気が流れることになる。つまり、切欠部分３０の外周辺２５３ｏでは、空気の流れが元々矢印ＳＴ１に略平行であるため、ＲｏをＲｉよりも大きくすることで、空気の流れが矢印ＳＴ３に示すように長く翼面を沿うことになる。
【００２５】
また、プロペラファン１００Ａでは、切欠部分３０の内周辺２５３ｉにおいては矢印ＳＴ４に示すように空気が流れることになる。つまり、切欠部分３０の内周辺２５３ｉでは、空気の流れが元々矢印ＳＴ１に略直交であるため、ＲｉをＲｏよりも小さくすることで、空気の流れを矢印ＳＴ４に示すように内周辺２５３ｉに沿って滑らかに曲げることができる。したがって、ＲｉがＲｏよりも大きいと空気の流れが急に曲がりきれず翼面に沿いきれないことになってしまうが、プロペラファン１００ＡではＲｉをＲｏよりも小さくすることで切欠部分３０の内周辺２５３ｉにおいても、空気の流れを長く翼面を沿わせることが可能になる。
【００２６】
以上のように、プロペラファン１００Ａによれば、切欠２５Ａを翼２Ａの後縁２４に形成することによって、後縁２４の付近での空気の流れを長く翼面に沿わせることが可能になり、静圧上昇を確保できる。
【００２７】
さらに、矢印ＳＴ１に示す空気の流れの速度分布は、内周端２１側から外周端２２側に向かって、遠心力作用が大きくなることにより一旦速度が速くなり、外周端２２端では矢印Ｖで示す漏れ流れが発生する。これにより、翼２Ａの仕事が減ることで、速度が減少に転じることになる。速度が速いほど音源となる渦も大きくなる。これを細分化するには、切欠部分３０の深さ２５１及び切欠部分３０の幅２５２も大きくする必要がある。
【００２８】
これらのことから、プロペラファン１００Ａでは、切欠部分３０の深さ２５１及び切欠部分の幅２５２を内周端２１側から外周端２２側にかけて一旦大きくした後、小さくなるように構成している。こうすることにより、翼面の速度分布と切欠部分３０の深さ２５１及び切欠部分の幅２５２がより適切に組み合わされることになり、静圧上昇を確保する効果が十分に発揮される。
したがって、プロペラファン１００によれば、切欠２５Ａを翼２Ａの後縁２４に形成することによって、音源となる渦の細分化の効果を静圧を低下することなく十分に発揮できるため、低騒音化が実現できる。
【００２９】
実施の形態２．
図５は、本発明の実施の形態２に係るプロペラファン１００Ｂの構成を概略的に示す斜視図である。図５に基づいて、プロペラファン１００Ｂについて説明する。
なお、実施の形態２では実施の形態１との相違点を中心に説明し、実施の形態１と同一部分には、同一符号を付して説明を省略するものとする。また、図５では、５枚の翼２Ｂを有するプロペラファン１００Ｂを図示している。ただし、翼２Ｂの枚数を特に限定するものではない。また、翼２Ｂの枚数によらず切欠２５Ｂは翼毎に設定され、本発明の実施の形態２に係るプロペラファン１００Ｂを実施することによる効果は翼毎に得られる。
【００３０】
プロペラファン１００Ｂは、軸心ＲＣを中心に回転するボス１と、ボス１の外周部に配設される複数枚の翼２Ｂとを有している。翼２Ｂは、内周端２１、外周端２２、前縁２３、後縁２４で囲繞されている。また、翼２Ｂの後縁２４には、切欠２５Ｂが設けられている。切欠２５Ｂは、実施の形態１で説明した切欠２５Ａと同様に、上面視三角形状の切欠部分３０が、翼２Ｂの内周端２１から外周端２２にかけて複数並べられて形成されている。図５では、５つの切欠部分３０によって切欠２５Ｂが形成されている状態を例に示しているが、切欠部分３０は３つ以上あればよい。なお、切欠部分３０の構成については、実施の形態１で説明した通りである。
【００３１】
切欠２５Ｂについて詳しく説明する。
切欠部分３０ａの内周端２１側に位置する第２端部２５ｂの軸心ＲＣに対する半径位置をＲｋｉとし、切欠部分３０ｅの外周端２２側に位置する第２端部２５ｂの軸心ＲＣに対する半径位置をＲｋｏとし、翼２Ｂの外周端２２の軸心ＲＣに対する半径位置をＲｆとする。そして、切欠２５Ｂは、Ｒｋｉ／Ｒｆ＞０．６５、かつ、Ｒｋｏ／Ｒｆ＜０．９５の関係を満たす位置に形成されている。すなわち、Ｒｋｉ／Ｒｆ及びＲｋｏ／Ｒｆをそれぞれ半径比とするとき、切欠２５Ｂは、半径比０．６５〜０．９５の範囲に設けられている。
【００３２】
更に言えば、切欠２５Ｂを構成している切欠部分３０の最も内周端２１側に位置する第２端部２５ｂと翼２の最も外側となる外周端２２とで定める値を最小値とし、切欠２５Ｂを構成している切欠部分３０の最も外周端２２側に位置する第２端部２５ｂと翼２の最も外側となる外周端２２とで定まる値を最大値として、半径比の範囲が決定される。
【００３３】
プロペラファン１００Ｂの効果について説明する。
半径比０．６５以下の領域に切欠２５Ｂを形成した場合、空気の流れに作用する遠心力が小さく、外周端２２側へ偏る空気の流れ（図４で示した矢印ＳＴ１参照）の影響は小さいものとなる。
また、半径比０．９５以上の領域に切欠２５Ｂを形成した場合、漏れ流れ（図４で示した矢印Ｖ参照）の影響により、内周端２１側へ空気の流れを押し戻す作用が働き、外周端２２側へ偏る空気の流れ（図４で示した矢印ＳＴ１参照）が生じにくいものとなる。
【００３４】
すなわち、プロペラファン１００Ｂは、遠心力により外周端２２側へ偏る空気の流れが最も顕著に生じる領域である、半径比０．６５〜０．９５の範囲に切欠２５Ｂを設けるようにしている。そのため、プロペラファン１００Ｂによれば、切欠２５Ｂを翼２Ｂの後縁２４の最適な範囲に形成することによって、後縁２４の付近での空気の流れを長く翼面に沿わせることが可能になり、一層効果的に静圧上昇を確保できる。したがって、プロペラファン１００Ｂによれば、音源となる渦の細分化の効果を静圧を低下することなく十分に発揮できるため、低騒音化が実現できる。
【００３５】
実施の形態３．
図６は、本発明の実施の形態３に係るプロペラファン１００Ｃの翼２Ｃの一つを拡大して示す拡大斜視図である。図７は、プロペラファン１００Ｃの一つの翼２Ｃの後縁２４部分を拡大して概略的に示す概略図である。図６及び図７に基づいて、プロペラファン１００Ｃについて説明する。
【００３６】
なお、実施の形態３では実施の形態１、２との相違点を中心に説明し、実施の形態１、２と同一部分には、同一符号を付して説明を省略するものとする。また、図６では、プロペラファン１００Ｃを構成する翼２Ｃの一つを図示している。プロペラファン１００Ｃは例えば５枚の翼２Ｃを有しているが、翼２Ｃの枚数を特に限定するものではない。また、翼２Ｃの枚数によらず切欠２５Ｃは翼毎に設定され、本発明の実施の形態３に係るプロペラファン１００Ｃを実施することによる効果は翼毎に得られる。
【００３７】
プロペラファン１００Ｃは、軸心ＲＣを中心に回転するボス１と、ボス１の外周部に配設される複数枚の翼２Ｃとを有している。翼２Ｃは、内周端２１、外周端２２、前縁２３、後縁２４で囲繞されている。また、翼２Ｃの後縁２４には、切欠２５Ｃが設けられている。切欠２５Ｃは、実施の形態１で説明した切欠２５Ａと同様に、上面視三角形状の切欠部分３０が、翼２Ｃの内周端２１から外周端２２にかけて複数並べられて形成されている。図６では、５つの切欠部分３０によって切欠２５Ｃが形成されている状態を例に示しているが、切欠部分３０は３つ以上あればよい。なお、切欠部分３０の構成については、実施の形態１で説明した通りである。
【００３８】
切欠２５Ｃについて詳しく説明する。
実施の形態１では、切欠部分３０の深さ２５１及び切欠部分３０の幅２５２が、内周端２１側から外周端２２側にかけて一旦大きくなった後、小さくなるようにそれぞれの切欠部分３０が形成されている場合を例に説明したが、それぞれの切欠部分３０の内周辺２５３ｉの円弧の曲率半径Ｒｉについては説明していない。
そこで、プロペラファン１００Ｃでは、実施の形態１の内容に加え、それぞれの切欠部分３０の内周辺２５３ｉの円弧の曲率半径Ｒｉの大きさを考慮したものとしている。
【００３９】
具体的には、それぞれの切欠部分３０の内周辺２５３ｉの円弧の曲率半径Ｒｉが、切欠部分３０の深さ２５１及び切欠部分３０の幅２５２が基準値よりも大きい領域では小さくなるように、切欠部分３０の深さ２５１及び切欠部分３０の幅２５２が小さい領域では大きくなるようにしている。なお、基準値とは、それぞれの切欠部分３０の深さ２５１及び切欠部分３０の幅２５２の平均値、又は、最大の切欠部分３０の深さ２５１及び切欠部分３０の幅２５２と最小の切欠部分３０の深さ２５１及び切欠部分３０の幅２５２の中間値などとして適宜設定することができる。
【００４０】
ここで、切欠部分３０の深さ２５１のうち、大きなものから順に深さ２５１ａ、深さ２５１ｂ、深さ２５１ｃとし、例えば２５１ｂ＝０．９×２５１ａ、例えば２５１ｃ＝０．９×２５１ｂであるものとする。また、内周辺２５３ｉの円弧の曲率半径Ｒｉを、深さ２５１ａ、深さ２５１ｂ、深さ２５１ｃに対応するものをそれぞれＲｉａ、Ｒｉｂ、Ｒｉｃとする。このとき、Ｒｉｂ＝０．９５×Ｒｉａ、Ｒｉｃ＝０．９５×Ｒｉｂの関係を満たすように構成されている。
【００４１】
図７では、切欠部分３０ｃ、切欠部分３０ｄ、切欠部分３０ｅの関係を例に図示している。切欠部分３０ａは、例えば切欠部分３０ｅと同じ深さ２５１及び同じ幅２５２で形成することができる。同様に、切欠部分３０ｂは、例えば切欠部分３０ｄと同じ深さ２５１及び同じ幅２５２で形成することができる。ただし、対称位置にある切欠部分３０を、同じ深さ２５１及び同じ幅２５２で形成することは必須ではない。対称位置とは、切欠部分３０の深さ２５１及び切欠部分３０の幅２５２が内周端２１側から外周端２２側にかけて一旦大きくなった後、小さくなる位置である。また、全部の切欠部分３０の深さ２５１及び幅２５２を異なるものとしてもよい。なお、切欠部分３０の幅２５２に対しても同様の構成となっている。
【００４２】
プロペラファン１００Ｃの効果について説明する。
実施の形態１で説明したように、切欠部分３０の内周辺２５３ｉを円弧状にすることは、空気の流れを内周辺２５３ｉに沿って滑らかに曲げて長く翼面に沿わせることによる静圧上昇の確保が狙いである（図４に示す矢印ＳＴ４参照）。
加えて、プロペラファン１００Ｃでは、空気の流れの速度の速い領域ほど内周辺２５３ｉの円弧の曲率半径Ｒｉを小さくしている。これにより、プロペラファン１００Ｃによれば、速い空気の流れの慣性に打ち勝って空気の流れを内周辺２５３ｉに沿って曲げることができ、より一層静圧上昇が確保できる。したがって、プロペラファン１００Ｃによれば、音源となる渦の細分化の効果を静圧を低下することなく十分に発揮できるため、低騒音化が実現できる。
【００４３】
実施の形態４．
図８は、本発明の実施の形態４に係るプロペラファン１００Ｄの一部を上面視した概略図である。図８に基づいて、プロペラファン１００Ｄについて説明する。
なお、実施の形態４では実施の形態１〜３との相違点を中心に説明し、実施の形態１〜３と同一部分には、同一符号を付して説明を省略するものとする。また、図８では、プロペラファン１００Ｄを構成する翼２Ｄの一つを図示している。プロペラファン１００Ｄは例えば５枚の翼２Ｄを有しているが、翼２Ｄの枚数を特に限定するものではない。また、翼２Ｄの枚数によらず切欠２５Ｄは翼毎に設定され、本発明の実施の形態４に係るプロペラファン１００Ｃを実施することによる効果は翼毎に得られる。
【００４４】
プロペラファン１００Ｄは、軸心ＲＣを中心に回転するボス１と、ボス１の外周部に配設される複数枚の翼２Ｄとを有している。翼２Ｄは、内周端２１、外周端２２、前縁２３、後縁２４で囲繞されている。また、翼２Ｄの後縁２４には、切欠２５Ｄが設けられている。切欠２５Ｄは、実施の形態１で説明した切欠２５Ａと同様に、上面視三角形状の切欠部分３０が、翼２Ｄの内周端２１から外周端２２にかけて複数並べられて形成されている。図８では、５つの切欠部分３０によって切欠２５Ｄが形成されている状態を例に示しているが、切欠部分３０は３つ以上あればよい。なお、切欠部分３０の構成については、実施の形態１で説明した通りである。
【００４５】
切欠２５Ｄについて詳しく説明する。
図８に示すように、軸心ＲＣを中心として切欠部分３０ａの第１端部２５ａを通る円弧を円弧Ｘ１とする。また、軸心ＲＣを中心として切欠部分３０ｂの第１端部２５ａを通る円弧を円弧Ｘ２とする。また、軸心ＲＣを中心として切欠部分３０ｃの第１端部２５ａを通る円弧を円弧Ｘ３とする。また、軸心ＲＣを中心として切欠部分３０ｄの第１端部２５ａを通る円弧を円弧Ｘ４とする。また、軸心ＲＣを中心として切欠部分３０ｅの第１端部２５ａを通る円弧を円弧Ｘ５とする。
【００４６】
このとき、切欠部分３０ａの内周端２１側に位置する第２端部２５ｂは、円弧Ｘ１よりも外周端２２側に位置している。同様に、切欠部分３０ｂの内周端２１側に位置する第２端部２５ｂは、円弧Ｘ２よりも外周端２２側に位置している。同様に、切欠部分３０ｃの内周端２１側に位置する第２端部２５ｂは、円弧Ｘ３よりも外周端２２側に位置している。同様に、切欠部分３０ｄの内周端２１側に位置する第２端部２５ｂは、円弧Ｘ４よりも外周端２２側に位置している。同様に、切欠部分３０ｅの内周端２１側に位置する第２端部２５ｂは、円弧Ｘ５よりも外周端２２側に位置している。
【００４７】
すなわち、プロペラファン１００Ｄでは、複数の切欠部分３０のそれぞれの内周辺２５３ｉ上における第２端部２５ｂの軸心ＲＣに対する半径位置が、この第２端部２５ｂと内周辺２５３ｉで接続している第１端部２５ａの軸心ＲＣに対する半径位置よりも外周側に位置するように切欠２５Ｄが構成されている。
【００４８】
プロペラファン１００Ｄの効果について説明する。
実施の形態１で説明したように、切欠部分３０の内周辺２５３ｉを円弧状にすることは、空気の流れを内周辺２５３ｉに沿って滑らかに曲げて長く翼面に沿わせることによる静圧上昇の確保が狙いである（図４に示す矢印ＳＴ４参照）。
加えて、プロペラファン１００Ｄでは、内周辺２５３ｉ上における第１端部２５ａと第２端部２５ｂを第１端部２５ａを通る円弧Ｘとの関係で設定しているので、空気の流れの曲がりすぎによる曲がり損失を発生させることなく、空気の流れを適度に曲げることができる。これにより、プロペラファン１００Ｄによれば、より一層静圧上昇が確保できる。したがって、プロペラファン１００Ｄによれば、音源となる渦の細分化の効果を静圧を低下することなく十分に発揮できるため、低騒音化が実現できる。
【００４９】
以上、本発明に係るプロペラファンを４つの実施の形態に分けて説明したが、これらに限定せず、本発明の範疇及び精神を逸脱することなく、さまざまに変形または変更可能である。また、各実施の形態で説明した内容を適宜組み合わせてプロペラファンを構成してもよい。
【００５０】
なお、各実施の形態で説明したプロペラファンは、例えば空気調和装置（例えば、冷凍装置、ルームエアコン、パッケージエアコン、ビル用マルチエアコン等）、ヒートポンプ給湯機等、ショーケースなどの冷凍サイクル装置の一部を構成する冷却ユニットで使用される。具体的には、冷却ユニットに搭載される熱交換器に空気を供給する送風機として採用することができる。
【符号の説明】
【００５１】
１  ボス、２Ａ  翼、２Ｂ  翼、２Ｃ  翼、２Ｄ  翼、２１  内周端、２２  外周端、２３  前縁、２４  後縁、２５Ａ  切欠、２５Ｂ  切欠、２５Ｃ  切欠、２５Ｄ  切欠、２５ａ  第１端部、２５ｂ  第２端部、３０  切欠部分、３０ａ  切欠部分、３０ｂ  切欠部分、３０ｃ  切欠部分、３０ｄ  切欠部分、３０ｅ  切欠部分、１００Ａ  プロペラファン、１００Ｂ  プロペラファン、１００Ｃ  プロペラファン、１００Ｄ  プロペラファン、２５１  切欠部分の深さ、２５２  切欠部分の幅、２５３  辺、２５３ｉ  内周辺、２５３ｏ  外周辺。
【図１】
0006723434.tif 000002
【図２】
0006723434.tif 000003
【図３】
0006723434.tif 000004
【図４】
0006723434.tif 000005
【図５】
0006723434.tif 000006
【図６】
0006723434.tif 000007
【図７】
0006723434.tif 000008
【図８】
0006723434.tif 000009